(57)【要約】【課題】餅包装材を拡げて、この餅包装材上に餅を載せたまま電子レンジで加熱でき、餅包装材上に餅が付着することを防止する。【解決手段】餅入り餅包装材１０Ａは、積層フィルム１からなる餅包装材１０と、餅包装材１０により包まれた餅６とを備える。積層フィルム１は、餅側から順次配置されたプラスチック製不織布３と、吸水性をもつ吸水紙２とを有する。【選択図】図２Ａ
2020029283.tif 000002
【特許請求の範囲】
【請求項１】
積層フィルムを有し、少なくとも、餅を包む餅包装材において、
前記積層フィルムは餅側から順次配置されたプラスチック製不織布と、吸水性をもつ紙とを備えた餅包装材。
【請求項２】
前記不織布はヒートシール性をもち、餅包装材は前記不織布同士を向い合わせてヒートシールすることにより形成されたシール部を有する請求項１記載の餅包装材。
【請求項３】
前記餅包装材は前記シール部により固着されて包装袋を構成する、請求項２記載の餅包装材。
【請求項４】
前記積層フィルムの両端部は、互いに重なり合ってヒートシールされることなく開口を形成する、請求項３記載の餅包装材。
【請求項５】
前記積層フィルムのうち前記開口を形成する前記両端部に直交する上部周縁および下部周縁が、ヒートシールされて前記シ―ル部を構成する上部シール部および下部シール部を形成する請求項４記載の餅包装材。
【請求項６】
積層フィルムを有し、少なくとも、餅を包む餅包装材において、
前記積層フィルムは餅側から順次配置されたプラスチック製不織布と、吸水性をもつ紙とを備えた餅包装材と、
前記餅包装材により包まれた餅とを備えた、餅入り餅包装材。
【発明の詳細な説明】
【技術分野】
【０００１】
本発明は、餅の個包装に用いる餅包装材と、当該餅包装材で餅を包んだ餅入り餅包装材に関する。
【背景技術】
【０００２】
従来、切り餅や丸餅等、個食サイズの餅が、酸素バリア性を有する餅包装材により形成された袋を用いて、脱酸素剤とともに包まれて市販されている。
【０００３】
餅を食する際は、餅を袋から取り出し餅を加熱して噛み切れるまで柔らかくしている。餅の加熱方法として餅網を用いて火で焼くのが伝統的であるが、餅をひっくり返すのが面倒で、かつ、やけどをする場合もあるため、現在では電子レンジで加熱する方法が最も簡便で、広く用いられている。
【０００４】
しかしながら、餅を袋から取り出し、食器やラップフィルムの上に餅を載せて電子レンジで加熱すると、柔らかくなった餅が食器やラップフィルムに付着してしまい、熱いので剥がすのが大変である。また食器にこびり付いて固まった餅は、洗い落すのが非常に面倒である。
【０００５】
このような問題を回避するため、餅を電子レンジ加熱する際に用いる容器に食用ワックスを塗布する方法が提案されている（特許文献１参照）。
【０００６】
しかしながら、この考案では餅にワックスが付着してしまい、餅の香りを損なうのみならず、ワックスが付着した餅は衛生的問題で食べにくいという問題がある。
【０００７】
また、発芽玄米を用いて製造した餅を真空包装し、電子レンジ加熱する方法も提案されている（特許文献２参照）。
【０００８】
しかしながら、この考案は通常の餅と性質が異なる餅を使用することを前提としているため、一般的な白い餅の電子レンジ加熱に適用することはできない。
【先行技術文献】
【特許文献】
【０００９】
【特許文献１】特開２０１６−３４８３８号公報
【特許文献２】特開２００６−１０９８３５号公報
【発明の概要】
【発明が解決しようとする課題】
【００１０】
本発明は、このような点を考慮してなされたものであり、餅を包む餅包装材から餅を取り出すことなく、電子レンジで餅包装材ごと餅を加熱することができ、かつ餅包装材に餅が付着することのない餅包装材および餅入り餅包装材を提供することを目的とする。
【課題を解決するための手段】
【００１１】
本実施の形態は、積層フィルムを有し、少なくとも、餅を包む餅包装材において、
前記積層フィルムは餅側から順次配置されたプラスチック製不織布と、吸水性をもつ紙とを備えた餅包装材である。
【００１２】
本実施の形態は、前記不織布はヒートシール性をもち、餅包装材は前記不織布同士を向い合わせてヒートシールすることにより形成されたシール部を有する餅包装材である。
【００１３】
本実施の形態は、前記餅包装材は前記シール部により固着されて包装袋を構成する餅包装材である。
【００１４】
本実施の形態は、前記積層フィルムの両端部は、互いに重なり合ってヒートシールされることなく開口を形成する餅包装材である。
【００１５】
本実施の形態は、前記積層フィルムのうち前記開口を形成する前記両端部に直交する上部周縁および下部周縁が、ヒートシールされて前記シ―ル部を構成する上部シール部および下部シール部を形成する餅包装材である。
【００１６】
本実施の形態は、積層フィルムを有し、少なくとも、餅を包む餅包装材において、
前記積層フィルムは餅側から順次配置されたプラスチック製不織布と、吸水性をもつ紙とを備えた餅包装材と、
前記餅包装材により包まれた餅とを備えた、餅入り餅包装材である。
【発明の効果】
【００１７】
本実施の形態によれば、餅包装材から餅を取り出すことなく、電子レンジで餅包装材とともに餅を加熱することができ、その際餅包装材に餅が付着することがない。
【図面の簡単な説明】
【００１８】
【図１】図１は本実施の形態による餅包装材の積層フィルムを例示する概略断面図。
【図２Ａ】図２Ａは本実施の形態による餅入り餅包装材を示す平面図。
【図２Ｂ】図２Ｂは図２ＡのＢ−Ｂ線断面図。
【図３】図３は餅包装の積層フィルムの変形例を示す断面図。
【発明を実施するための形態】
【００１９】
次に図１乃至図２Ｂにより本実施の形態について説明する。
【００２０】
まず図２Ａおよび図２Ｂにより、餅入り餅包装材について説明する。餅入り餅包装材１０Ａは積層フィルム１を有する餅包装材１０と、この餅包装材１０により包まれた餅６とを備えている。
【００２１】
このうち餅包装材１０は積層フィルム１からなり、この積層フィルム１は餅６側から順次配置されたプラスチック製不織布３と、吸水性をもつ吸水紙２とを備えている。餅包装材１０は矩形状の積層フィルム１を丸めて形成され、餅包装材１０の両端部７．７が互いに積層状態で重なり合う。この際、餅包装材１０の両端部７．７は下方の積層フィルム１の吸水紙２と上の積層フィルム１のプラスチック製不織布３とが向き合う状態となっており、ヒートシールされることなく互いの間に開口７ａを形成する（図２Ｂ参照）。
【００２２】
また、後述のように、積層フィルム１のプラスチック製不織布３は、ヒートシール性をもっている。
【００２３】
また両端部７．７が積層状態で重ね合わされた餅包装材１０のうち、両端部７．７と直交する上部周縁および下部周縁は、互いにヒートシールされて、上部シ―ル部５ａおよび下部シール部５ｂを形成している。上述のように餅包装材１０を構成する積層フィルム１は、餅６側にプラスチック製不織布３を有するため、餅包装材１０の上部周縁および下部周縁において互いにプラスチック製不織布３が向き合う状態となる。このため餅包装材１０の上部周縁および下部周縁をヒートシールして、上部シ―ル部５ａおよび下部シール部５ｂを容易に形成することができる。このようにして、積層フィルム１からなる餅包装材１０により餅６を包装することにより、ピロータイプの餅入り餅包装材１０Ａが得られる。このとき、餅６を包装する餅包装材１０は包装袋１０ａを構成する。
【００２４】
本明細書において、「上部」、「下部」とは、餅入り餅包装材１０Ａを図２Ａの状態に配置した場合における、図２Ａ上での「上部」、「下部」を意味する。
【００２５】
次に図１により餅包装材１０を構成する積層フィルム１について述べる。上述のように積層フィルム１は少なくとも吸水性を有する紙２、すなわち吸水紙と、プラスチック製不織布３とを有し、通気性を損なうことなく積層したフィルムである。このうちプラスチック製不織布３は餅６側にくる。
【００２６】
一般に陶磁器、プラスチック製食器、フィルム、紙、木質材などと比較して、プラスチック製不織布３に対して加熱した餅は付着しにくいが、加熱により柔らかくなり、かつ、表面が水分で濡れた状態の餅は、プラスチック製不織布３に付着することも考えられる。餅包装材１０の積層フィルム１は、プラスチック製不織布３と吸水紙２とを有するためプラスチック製不織布３側に餅６を載せて電子レンジ加熱した場合、加熱により餅６から出てくる水蒸気を吸水紙２が吸い取ることができる。このように餅６の表面の水蒸気を吸水紙２により吸い取ることができるので、餅６がプラスチック性不織布に付着しにくくなっている。
【００２７】
次に積層フィルム１について更に述べる。積層フィルム１のプラスチック製不織布３としては、ポリエチレンテレフタレート、ポリプロピレン、ポリエチレンなどのプラスチックの長繊維、又は短繊維を、湿式、乾式、直接式を問わず、サーマルボンド、ウォーターパンチ、ニードルパンチ、抄紙などで結合させた、一般的な不織布を用いることができる。このうち、プラスチック製不織布３としては、衛生面で優れていて、餅に繊維が付着しにくい長繊維からなる、メルトブロー方式、スパンボンド方式などのサーマルボンド不織布や、ウォーターパンチ不織布などが特に好適に用いることができる。プラスチック製不織布３は薄いと餅６が直接吸水性の紙２と接触して付着してしまうが、厚いと無駄であるため、坪量１０ｇ／ｍ２から１００ｇ／ｍ２のものを好適に用いることができる。
【００２８】
吸水紙２としては、再生紙を含まないパルプ１００％の紙で、坪量１０ｇ／ｍ２から８０ｇ／ｍ２の、更に好ましくは１５ｇ／ｍ２から５０ｇ／ｍ２の、ドリップシートなどに用いられている食品用吸水紙を用いる。
【００２９】
餅６から出た水蒸気を吸水紙２が吸い取るため、吸水紙２とプラスチック製不織布３は通気性を維持した状態で積層する必要があり、そのような積層方法としてはサーマルボンド、ニードルパンチ、ホットメルトのスプレーラミ、ホットメルトのストライプラミ、ポリエチレンを線状に多列押し出しするラミネート方法、などを好適に用いることができる。
【００３０】
また、ウォーターパンチ、ニードルパンチ、サーマルボンドなどにより、吸水紙２面上で直接プラスチック製不織布３を抄造する方法も、衛生的に優れており好ましい積層方法である。
【００３１】
尚、特に図示しないが、吸水紙２の両面にプラスチック製不織布３を積層した積層不織布も、本発明に係る餅入り餅包装材１０Ａに用いることができる。
【００３２】
次に図３により餅包装材１０を構成する積層フィルム１の変形例を示す。図３に示すように積層フィルム１は、餅６側から順次配置されたプラスチック製不織布３と、吸水紙２と、基材フィルム４とを有する。この場合、基材フィルム４に図柄や使用方法を印刷したり、賞味期限を印字したりすることができる。
【００３３】
基材フィルム４としては、例えば二軸延伸ポリエチレンテレフタレートフィルム、二軸延伸ポリプロピレンフィルム、ポリエチレンフィルムなど、一般の食品包材に用いられる延伸フィルムや未延伸フィルムを単層、又は複層で用いることができる。
【００３４】
吸水紙２と基材フィルム４とを貼り合わせる場合には、基材フィルム４の通気性を考慮しなくてもよいので、ポリエチレンの押出しラミネーション、ドライラミネーションなど、一般的な食品包材の貼り合せ方法を用いて構わない。
【００３５】
次にこのような構成からなる本実施の形態の作用について説明する。まず矩形状の積層フィルム１からなる餅包装材１０を準備し、これを丸めて内部に餅６を収納する。このとき、積層フィルム１のプラスチック製不織布３が餅６側にくる。次に餅包装材１０の両端部７．７を互いに積層状態に重ね合わせ、餅包装材１０のうち両端部７．７に直交する上部周縁と下部周縁をヒートシールする。このことにより餅包装材の上部周縁と下部周縁に上部シ―ル部５ａと下部シール部５ｂとが形成される。餅包装材１０の両端部７．７はヒートシールされることなく、開口７ａを形成する背部を構成する。
【００３６】
このようにして餅包装材１０によりピロータイプの餅入り餅包装材１０Ａが得られる（図２Ａおよび図２Ｂ参照）。このとき餅包装材１０はピロータイプの包装袋１０ａを構成する。
【００３７】
使用にあたっては、餅入り餅包装材１０Ａの未シ―ル部の両端部（背部ともいう）７．７に指を挿入し、餅入り餅包装材１０Ａを拡げて、餅入り餅包装材１０Ａの上部シ―ル部５ａおよび下部シール部５ｂを開封する。このようにして餅入り餅包装材１０Ａを特別の道具を用いることなく開封することができる。
【００３８】
このように餅入り餅包装材１０Ａを開封した後、餅包装材１０をシート状に拡げ、その上に餅６を載置した状態で電子レンジにより加熱する。このとき加熱により餅６から出てくる水蒸気を吸水紙２が吸い取る。このことにより餅６がプラスチック製不織布３上に付着することはない。このように餅包装材１０上に餅が付着することがなく、電子レンジにより容易に餅を加熱することができる。
【００３９】
なお、上記実施の形態において、両端部７．７を積層して互いに重ね合わせて未シ―ルの背部を構成した例を示したが、両端部７．７を合掌状に重ね合わせて未シ―ル部としてもよく、合掌状に重ね合わせた両端部７．７をヒートシールしてシール部を形成してもよい。
【００４０】
また積層フィルム１のプラスチック製不織布３としては、餅入り餅包装材１０Ａを手で開封することができるようにするため、ヒートシール強度が大きくなりにくい、極細繊維からなるプラスチック製不織布を用いると更に良く、そのような不織布として、メルトブローのポリプロピレン、又はポリエチレン不織布を好適に用いることができる。
【００４１】
積層フィルム１のプラスチック製不織布３にヒートシール性が無い場合、ツイスト包装するのが無難だが、餅包装材１０により単に餅６を包んでテープ留めして餅６を包む餅包装材１０からなる包装袋１０ａを作製しても良く、また、ヒートシール性が無くても、高温の熱針や超音波ホーンなどにより餅包装材１０にポイントシールを施すことにより包装袋１０ａを作製してもよい。この場合、ポイントシールは積層フィルム１のプラスチック製不織布３のヒートシール強度が大きくても開封しやすいので好適に用いることができる。
【００４２】
なお、餅入り餅包装材１０Ａに用いる餅６の形状は直方体の切り餅、円盤状の丸餅のいずれでも構わないが、丸餅の方が全体が均一に膨らむので電子レンジで加熱する調理には適している。
【００４３】
以上のように本実施の形態による餅包装材１０は、吸水性を有する紙とプラスチック製不織布とを、通気性を阻害することなく積層した積層フィルム１からなり、この餅包装材１０により餅６を包んで餅入り餅包装材１０Ａを作製する。餅入り餅包装材１０Ａを開封し、前記プラスチック製不織布面を上にして電子レンジ内に置いた餅包装材１０上に餅６を置いて電子レンジ加熱する。このことにより、加熱時に餅から発生した水蒸気を、吸水性を有する吸水紙２が吸収するので、餅表面が濡れてねばつく現象が生じにくく、加熱後の餅６が前記プラスチック製不織布に付着することなく餅を取り出すことができる。また餅６を調理するために材料や道具を用意することなく、餅入り餅包装材１０Ａを形成していた餅包装材１０を用いることで餅の調理ができるので非常に便利である。
【００４４】
また、餅入り餅包装材１０Ａは、積層フィルム１のプラスチック製不織布３がヒートシール性を有する場合、積層フィルム１にヒートシールを施して形成した包装袋１０ａにより餅６を包装することができるので、餅６を衛生的に包装することができる。また餅入り餅包装材１０Ａの上部シ―ル部５ａおよび下部シール部５ｂを開封して、前記プラスチック製不織布３面を上にして電子レンジ内で餅包装材１０の上に餅６を置いて電子レンジで加熱する。このことにより、簡単に調理ができるので非常に便利である。
【００４５】
また、餅入り餅包装材１０Ａが、背部７．７にヒートシールが施されていないピロー袋である場合、未シール状態の背部７．７を把持して餅入り餅包装材１０を拡げると、上部シ―ル部５ａおよび下部シール部５ｂが開封しにくいヒートシール性不織布であっても、シール部５ａ、５ｂを開封して展開することが容易になり便利である
【実施例１】
【００４６】
次に、本実施の形態の具体的実施例及び比較例について更に詳述する。
【００４７】
吸水紙／ポリプロピレン不織布という構成の市販のサーマルボンド積層不織布（積層フィルム）８０ｇ／ｍ２の積層フィルム１からなる餅包装材１０を準備した。この餅包装材１０を１２０ｍｍ×１２０ｍｍに切り取り、ポリプロピレン不織布面を内側にして市販の切り餅６（６０ｇ）を包み、未シ―ルの両端部（背部）７．７と、上部シ―ル部５ａと、下部シール部５ｂとを有する餅入り餅包装材１０Ａを作製した。このとき餅６を含む餅包装材１０によりピロータイプの包装袋１０ａが構成された。
【００４８】
次に餅入り餅包装材１０Ａのうち未シールの背部７．７を把持し、餅入り餅包装材１０Ａの上部シ―ル部５ａおよび下部シール部５ｂを開封する。次に餅包装材１０のポリプロピレン不織布を拡げ、餅包装材１０上に餅６を載せた状態で電子レンジで６００Ｗ×５０秒の加熱を実施した。
【００４９】
その結果、餅は球形になるまで膨らんだが、積層フィルム１のプラスチック製不織布３に付着しなかった。このことによって、オーブントースターでは５分掛かる調理時間を１分で済ませることができた。
【実施例２】
【００５０】
厚さ１２μｍの二軸延伸ポリエチレンテレフタレイトフィルムに、厚さ１５μｍの低密度ポリエチレンの押出しラミネーションを施し、次に坪量２０ｇ／ｍ２の吸水紙と坪量１５ｇ／ｍ２のメルトブローポリプロピレン不織布とを含むサーマルボンド不織布を貼り合わせた。このことにより、二軸延伸ポリエチレンテレフタレイト１２μｍ／低密度ポリエチレン１５μｍ／吸水紙を含むサーマルボンド不織布３５ｇ／ｍ２からなる積層フィルム１を得た。次に積層フィルム１からなる餅包装材１０を準備し、この餅包装材１０を１２０ｍｍ×１２０ｍｍに切り取り、ポリプロピレン不織布面を内側にして市販の切り餅６（６０ｇ）を包み、ヒートシールにより形成された両端部（背部）７．７と、上部シ―ル部５ａと、下部シール部５ｂとを有する餅入り餅包装材１０Ａを作製した。
【００５１】
このとき、餅６を含む餅包装材１０によりピロータイプの包装袋１０ａが構成された。次に餅入り餅包装材１０Ａのうち、シールされた背部７．７、上部シール部５ａ、下部シール部５ｂを手で開封し、餅包装材１０を拡げ、ポリプロピレン不織布面に餅６を載せた状態で電子レンジで６００Ｗ×５０秒の加熱を実施した。
【００５２】
その結果、餅６は球形になるまで膨らんだが、プラスチック製不織布３に付着しなかった。
【実施例３】
【００５３】
ポリエチレンテレフタレイト／パルプ／ポリエチレンテレフタレイトという構成の市販のウォーターパンチ積層不織布（積層フィルム１）４５ｇ／ｍ２の積層フィルム１からなる餅包装材１０を準備し、この餅包装材１０を１８０ｍｍ×１８０ｍｍに切り取り、ポリプロピレン不織布面を内側にして市販の丸餅６（５０ｇ）を中央に載せて餅包装材１０の左右両側を重ね合わせて餅６を包んだ。その後、餅包装材１０の上端および下端を把持したまま餅６周辺を回転させ捻ることによってツイスト包装を施し、餅入り餅包装材１０Ａを得た。
【００５４】
次に餅入り餅包装材１０Ａの捻りを戻して拡げ、餅包装材１０上に餅６を載せた状態で電子レンジで６００Ｗ×４０秒の加熱を実施した。
【００５５】
その結果、餅６は球形になるまで膨らんだが、プラスチック製不織布３に付着しなかった。
【比較例】
【００５６】
（１）厚さ３０μｍの未延伸ポリプロピレンフィルム、（２）坪量４０ｇ／ｍ２のポリエチレン系長繊維不織布、及び（３）坪量４０ｇ／ｍ２の吸水紙、の異なる３種類の比較用フィルムを準備した。次に３種類の比較用フィルムを１２０ｍｍ×１２０ｍｍに切り取り、それぞれの比較用フィルムに市販の切り餅（６０ｇ）を載せて電子レンジで６００Ｗ×５０秒の加熱を施した。その結果、いずれのフィルムにも餅が付着してしまい、餅をきれいに剥がすことができなかった。
【符号の説明】
【００５７】
１    積層フィルム
２    吸水紙
３    プラスチック製不織布
４    基材フィルム
５ａ  上部シール部
５ｂ  下部シール部
６  餅
７．７  両端部（背部）
７ａ  開口
１０    餅包装材
１０Ａ  餅入り餅包装材
１０ａ  包装袋
【図１】
2020029283.tif 000003
【図２Ａ】
2020029283.tif 000004
【図２Ｂ】
2020029283.tif 000005
【図３】
2020029283.tif 000006